【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
１次ユーザに割り振られたチャネルが十分に活用されないときがあるセルラシステム中で使用される方法であって、
前記１次ユーザのチャネル上で２次ユーザのビットを送信するために０と１の値を含む一意の順列符号を生成するステップと、
前記１次ユーザに向けて送信される第１のシンボルセットと前記順列符号とに基づいて１つ又は複数のコードワードを生成するステップと、
前記１つ又は複数のコードワードを前記チャネル上で送信するステップと、
を含む方法。
【請求項２】
前記第１のシンボルセットを生成するために、前記チャネル上で前記１次ユーザに送信される第２のシンボルセットにチャネル符号化を適用するステップをさらに含み、
前記１つ又は複数のコードワードを生成するステップが、前記第１のシンボルセット及び前記順列符号にシンボルごとの乗算を適用するサブステップを含む、請求項１に記載の方法。
【請求項３】
前記１次ユーザに向けて送信される前記シンボルの少なくともいくつかの間にサイレントシンボルを挿入するステップをさらに含む、請求項１に記載の方法。
【請求項４】
前記ビットが、ｋ個の１及び（ｎ−ｋ）個の０を含む、０と１のベクトルの一意の順列に変換され、ｋが、前記１次ユーザに向けて送信されるシンボルの数であり、ｎが、前記チャネル上で送信されているシンボルの数である、請求項３に記載の方法。
【請求項５】
サイレントシンボルの場所を突き止めて前記順列符号を見つけること、及び
前記順列符号を反転して前記２次ユーザの前記ビットを回復することによって、
前記２次ユーザにおいて復号器を使用して前記１つ又は複数のコードワードを処理するステップをさらに含む、請求項３に記載の方法。
【請求項６】
サイレントシンボルの場所を突き止めること、
突き止めたサイレントシンボルを廃棄すること、及び
前記１つ又は複数のコードワードから前記突き止めたサイレントシンボルを廃棄した後に残ったシンボルを復号することによって、
前記１次ユーザにおいて復号器を使用して前記１つ又は複数のコードワードを処理するステップをさらに含む、請求項３に記載の方法。
【請求項７】
前記順列符号を乗法性雑音として扱いながら前記１つ又は複数のコードワードを直接に復号することによって、前記１次ユーザにおいて復号器を使用して前記１つ又は複数のコードワードを処理するステップをさらに含む、請求項１に記載の方法。
【請求項８】
前記２次ユーザの前記ビットを複数のチャンクに分割するステップと、
符号化済みチャンクを生成するために、前記複数のチャンクのうちのいくつかのチャンクにチャネル符号化を適用するステップと、
前記順列符号を前記符号化済みチャンクのそれぞれに適用するステップと、
をさらに含み、
前記１つ又は複数のコードワードを生成するステップが、前記符号化済みチャンクのそれぞれに関連する順列符号を結合するために、連結を適用するサブステップを含む、請求項１に記載の方法。
【請求項９】
１次ユーザと、
２次ユーザと、
前記１次ユーザ及び前記２次ユーザに通信可能に結合された基地局と、
を備えるセルラシステムであって、前記基地局が、
前記１次ユーザによって十分に活用されないときがあるチャネルを前記１次ユーザに割り振るためのコントローラと、
送信されるビットを記憶するためのメモリと、
前記１次ユーザの前記チャネル上で前記２次ユーザのビットを送信するために一意の順列符号を生成すること、前記１次ユーザに向けて送信される第１のシンボルセットと前記順列符号とに基づいて１つ又は複数のコードワードを生成すること、及び前記１つ又は複数のコードワードを前記チャネル上で送信することによって前記ビットを処理するための、前記メモリに結合されたプロセッサと、
を有する、セルラシステム。
【請求項１０】
前記プロセッサが、前記第１のシンボルセットを生成するために、前記チャネル上で前記１次ユーザに送信される第２のシンボルセットにチャネル符号化を適用するように動作可能であり、
前記プロセッサが、前記第１のシンボルセット及び前記順列符号にシンボルごとの乗算を適用することによって前記１つ又は複数のコードワードを生成するように動作可能である、請求項９に記載のシステム。
【請求項１１】
前記プロセッサが、前記１次ユーザに向けて送信される前記シンボルの少なくともいくつかの間にサイレントシンボルを挿入するように動作可能である、請求項９に記載のシステム。
【請求項１２】
前記ビットが、ｋ個の１及び（ｎ−ｋ）個の０を含む、０と１のベクトルの一意の順列に変換され、ｋが、前記１次ユーザに向けて送信されるシンボルの数であり、ｎが、前記チャネル上で送信されているシンボルの数である、請求項１１に記載のシステム。
【請求項１３】
前記２次ユーザが、
サイレントシンボルの場所を突き止めて前記順列符号を見つけること、及び
前記順列符号を反転して前記２次ユーザの前記ビットを回復することによって、
前記２次ユーザにおいて復号器を使用して前記１つ又は複数のコードワードを処理するように動作可能である、請求項１１に記載のシステム。
【請求項１４】
前記１次ユーザが、
サイレントシンボルの場所を突き止めること、
突き止めたサイレントシンボルを廃棄すること、及び
前記１つ又は複数のコードワードから前記突き止めたサイレントシンボルを廃棄した後に残ったシンボルを復号することによって、
前記１次ユーザにおいて復号器を使用して前記１つ又は複数のコードワードを処理するように動作可能である、請求項１１に記載のシステム。
【請求項１５】
前記１次ユーザが、前記順列符号を乗法性雑音として扱いながら前記１つ又は複数のコードワードを直接に復号することによって、前記１次ユーザにおいて復号器を使用して前記１つ又は複数のコードワードを処理するように動作可能である、請求項９に記載のシステム。
【請求項１６】
前記プロセッサが、
前記２次ユーザの前記ビットを複数のチャンクに分割し、
符号化済みチャンクを生成するために、前記複数のチャンクのうちのいくつかのチャンクにチャネル符号化を適用し、
前記順列符号を前記符号化済みチャンクのそれぞれに適用するように動作可能であり、
前記１つ又は複数のコードワードを生成することが、前記符号化済みチャンクのそれぞれに関連する順列符号を結合するために、連結を適用することを含む、請求項９に記載のシステム。
【請求項１７】
１次ユーザ及び２次ユーザを有するセルラシステム中で使用される基地局であって、
前記１次ユーザによって十分に活用されないときがあるチャネルを前記１次ユーザに割り振るためのコントローラと、
送信されるビットを記憶するためのメモリと、
前記１次ユーザの前記チャネル上で前記２次ユーザのビットを送信するために一意の順列符号を生成すること、前記１次ユーザに向けて送信される第１のシンボルセットと前記順列符号とに基づいて１つ又は複数のコードワードを生成すること、及び前記１つ又は複数のコードワードを前記チャネル上で送信することによって前記ビットを処理するための、前記メモリに結合されたプロセッサと、
を備える、基地局。
【請求項１８】
電子的な命令が記憶されたコンピュータ可読記憶媒体であって、前記電子的な命令が、セルラシステムのプロセッサによって実行されたとき、前記電子的な命令は、１次ユーザに割り振られたチャネルが十分に活用されないときがある前記セルラシステム中で使用される演算を前記セルラシステムに実施させ、前記演算が、
前記１次ユーザのチャネル上で２次ユーザのビットを送信するために０と１の値を含む一意の順列符号を生成し、
前記１次ユーザに向けて送信される第１のシンボルセットと前記順列符号とに基づいて１つ又は複数のコードワードを生成し、
前記１つ又は複数のコードワードを前記チャネル上で送信する、
コンピュータ可読記憶媒体。
【請求項１９】
ワイヤレス通信システム中で使用されるデバイスであって、
サイレントシンボルの場所を検出して順列符号を見つけるためのサイレントシンボル検出器と、
前記順列符号を受信して、前記順列符号を反転することによってビットを回復するように動作可能な順列符号復号器と、
を備えるデバイス。